(57)【特許請求の範囲】
【請求項１】
一対のライン電極の放電部がギャップをあけて対向させて配置され、前記ライン電極の対向する放電部の間に貫通孔が中央部に設けられたアース電極が配置され、前記ライン電極とアース電極との間が筒状の絶縁体からなる外囲器により封止されてなる三極放電管であって、
前記一対のライン電極の放電部のそれぞれが、ほぼ円錐状に形成されると共に、その形状に合わせて、前記貫通孔の上部と下部の内側面のそれぞれが、ほぼ漏斗状に形成されて、その貫通孔の内側面とそれに対向するライン電極の放電部との間に、一次放電用の斜平行ギャップがそれぞれ設けられ、
前記アース電極の貫通孔周囲の周縁部とそれに対向する前記ライン電極の周縁部との間に、二次放電用の平行ギャップがそれぞれ設けられ、
前記斜平行ギャップが、前記平行ギャップよりも間隔狭く形成されてなることを特徴とする三極放電管。
【請求項２】
前記ほぼ円錐状に形成されたライン電極の放電部の表面及び前記ほぼ漏斗状に形成された貫通孔の上部と下部の内側面のそれぞれに放電活性物質が塗布された請求項１記載の三極放電管。
【請求項３】
前記ほぼ円錐状に形成されたライン電極の放電部とそれに続くライン電極の周縁部との境界部に、前記ライン電極の放電部の表面に塗布される放電活性物質を溜める溜まり部がリング状に設けられた請求項２記載の三極放電管。
【発明の詳細な説明】
【０００１】
【発明の属する技術分野】
本発明は、２本のライン線と１本のアース線との間に発生するサージ電流を排除するための三極放電管に関する。
【０００２】
【従来の技術】
上記の三極放電管として、図４に示したような放電管が周知である。
この三極放電管においては、Ｆｅ−Ｎｉ合金等の金属からなる一対のライン電極１０が、その内端に設けられた円柱状をした放電部１２を対向させて、ギャップをあけて上下に並べて配置されている。
一対のライン電極１０の対向する放電部１２の間には、貫通孔２８が中央部に設けられたアース電極２０が配置されている。
一対のライン電極１０とアース電極２０との間には、セラミック等の絶縁体からなる一対の筒状の外囲器３０のそれぞれが、その内側にライン電極の放電部１２を嵌入させた状態で、配置されている。そして、その一対の外囲器３０の外端開口部のそれぞれが、一対のライン電極１０の外端のそれぞれに設けられた電極部１４により気密に封じられている。そして、その一対の外囲器３０により、ライン電極１０とアース電極２０との間が気密に封止されいる。
一対の外囲器３０の内端間には、アース電極の電極部２４が挟持されている。そして、そのアース電極の電極部２４の周囲が、外囲器３０の外側に露出している。
【０００３】
この図４に示した三極放電管においては、２本のライン線（図示せず）のそれぞれを、一対の外囲器３０の外端開口部を封じている電極部１４のそれぞれに接続できる。それと共に、アース線（図示せず）を、外囲器３０の外側に露出したアース電極の電極部２４に接続できる。そして、２本のライン線のいずれかとアース線との間に発生したサージ電流を、ライン電極の放電部１２とそれに対向するアース電極の放電部２２との間のギャップに放電を発生させて、消失させることができる。
【０００４】
【発明が解決しようとする課題】
しかしながら、上記の三極放電管においては、そのライン電極の放電部１２とそれに対向するアース電極の放電部２２との間に放電を発生させた場合に、その放電のエネルギーを受けて、ライン電極の放電部１２やアース電極の放電部２２から、該放電部１２、２２を構成しているＦｅ−Ｎｉ合金等の金属が、粒状のスパッタとなって、その周囲に配置された外囲器３０の内側面に付着した。そして、そのスパッタや、外囲器３０の内側面に形成されたライン電極１０又はアース電極２０に電気的に接続された放電トリガ線３２などを介して、ライン電極１０とアース電極２０との間の絶縁性が劣化したり、ライン電極１０とアース電極２０との間に絶縁不良が生じたりした。そして、そのために、ライン電極の放電部１２とアース電極の放電部２２との間に、放電を長期に亙って繰り返し安定させて的確に発生させ続けることができなかった。
【０００５】
本発明は、このような課題を解消可能な、三極放電管を提供することを目的としている。
【０００６】
【課題を解決するための手段】
上記の目的を達成するために、本発明の三極放電管は、一対のライン電極の放電部がギャップをあけて対向させて配置され、前記ライン電極の対向する放電部の間に貫通孔が中央部に設けられたアース電極が配置され、前記ライン電極とアース電極との間が筒状の絶縁体からなる外囲器により封止されてなる三極放電管であって、
前記一対のライン電極の放電部のそれぞれが、ほぼ円錐状に形成されると共に、その形状に合わせて、前記貫通孔の上部と下部の内側面のそれぞれが、ほぼ漏斗状に形成されて、その貫通孔の内側面とそれに対向するライン電極の放電部との間に、一次放電用の斜平行ギャップがそれぞれ設けられ、
前記アース電極の貫通孔周囲の周縁部とそれに対向する前記ライン電極の周縁部との間に、二次放電用の平行ギャップがそれぞれ設けられ、
前記斜平行ギャップが、前記平行ギャップよりも間隔狭く形成されてなることを特徴としている。
【０００７】
この三極放電管においては、その一対のライン電極の放電部のそれぞれがほぼ円錐状に形成されると共に、アース電極の貫通孔の上部と下部の内側面のそれぞれがほぼ漏斗状に形成されている。そして、そのライン電極のほぼ円錐状に形成された放電部とそれに対向するアース電極の貫通孔のほぼ漏斗状に形成された内側面との間に一次放電用の斜平行ギャップが設けられている。
そのために、そのほぼ円錐状をしたライン電極の放電部とほぼ漏斗状をしたアース電極の貫通孔の内側面との間の斜平行ギャップに一次放電を発生させた場合に、そのほぼ円錐状をしたライン電極の放電部やほぼ漏斗状をしたアース電極の貫通孔の内側面から飛散する金属の粒子からなるスパッタが、貫通孔周囲のアース電極やライン電極の放電部に妨げられて、ライン電極とアース電極との間に配置された筒状の外囲器の内側面に付着するのが、防止される。そして、そのスパッタより、ライン電極とアース電極との間の絶縁性が劣化したり、ライン電極とアース電極との間に絶縁不良が生じたりするのが、防止される。
【０００８】
また、そのほぼ円錐状をしたライン電極の放電部やほぼ漏斗状をしたース電極の貫通孔の内側面から飛散するスパッタが、ほぼ円錐状をしたライン電極の放電部に対向するほぼ漏斗状をしたアース電極の貫通孔の内側面に付着したり、ほぼ漏斗状をしたアース電極の貫通孔の内側面に対向するほぼ円錐状をしたライン電極の放電部に付着したりする。そして、そのほぼ円錐状をしたライン電極の放電部やほぼ漏斗状をしたアース電極の貫通孔の内側面からスパッタとなって飛散する金属が、そのほぼ円錐状をしたライン電極の放電部に対向するほぼ漏斗状をしたアース電極の貫通孔の内側面に金属となって付着したり、そのほぼ漏斗状をしたアース電極の貫通孔の内側面に対向するほぼ円錐状をしたライン電極の放電部に金属となって付着したりする。そして、そのほぼ円錐状をしたライン電極の放電部とほぼ漏斗状をしたアース電極の貫通孔の内側面とからスパッタとなって消失する金属が、ほぼ円錐状をしたライン電極の放電部に対向するほぼ漏斗状をしたアース電極の貫通孔の内側面と、ほぼ漏斗状をしたアース電極の貫通孔の内側面に対向するほぼ円錐状をしたライン電極の放電部とに互いに補充し続けられる。
そのために、そのほぼ円錐状をしたライン電極の放電部とそれに対向するほぼ漏斗状をしたアース電極の貫通孔の内側面との間に一次放電を繰り返し長期に亙って発生させた場合にも、そのほぼ円錐状をしたライン電極の放電部を形成している金属がスパッタとなって消失したり、そのほぼ漏斗状をしたアース電極の貫通孔の内側面を形成している金属がスパッタとなって消失したりして、そのほぼ円錐状をしたライン電極の放電部とほぼ漏斗状をしたアース電極の貫通孔の内側面との間の斜平行ギャップの距離等に狂いが生ずるのを、防ぐことができる。そして、そのほぼ円錐状をしたライン電極の放電部とほぼ漏斗状をしたアース電極の貫通孔の内側面との間の斜平行ギャップに、所定電位の放電を繰り返し長期に亙って安定させて的確に発生させ続けることができる。
【０００９】
また、ライン電極とアース電極との間に大きなサージ電圧が加わった場合には、上記のほぼ円錐状をしたライン電極の放電部とほぼ漏斗状をしたアース電極の貫通孔の内側面との間の斜平行ギャップに一次放電を発生させると同時に、アース電極の貫通孔周囲の周縁部とそれに対向するライン電極の周縁部との間の間隔の広い平行ギャップにも、二次放電を発生させることができる。そして、その平行ギャップに発生させた二次放電により、上記の大きなサージ電圧を的確に消失させることができる。
【００１０】
また、斜平行ギャップが、平行ギャップよりも間隔狭く形成されているため、ライン電極とアース電極との間にさほど大きくないサージ電圧が加わった場合には、ほぼ円錐状をしたライン電極の放電部とほぼ漏斗状をしたアース電極の貫通孔の内側面との間の間隔狭く形成された斜平行ギャップに、一次放電を的確に発生させることができる。そして、その斜平行ギャップに発生させた一次放電により、上記のさほど大きくないサージ電圧を的確に消失させることができる。
その際には、アース電極の貫通孔周囲の周縁部とそれに対向するライン電極の周縁部との間の間隔の広い平行ギャップには、二次放電を発生させずに、そのアース電極の周縁部やライン電極の周縁部から金属の粒子がスパッタとなって飛散して、そのスパッタがその外側に配置された外囲器の内側面に付着するのを、防ぐことができる。そして、ライン電極とアース電極との間の絶縁性が劣化したり、ライン電極とアース電極との間に絶縁不良が生じたりするのを、防ぐことができる。
【００１１】
また、一対のライン電極の放電部のそれぞれがほぼ円錐状をしていると共に、その形状に合わせて、アース電極の貫通孔の上部と下部の内側面のそれぞれが、ほぼ漏斗状をしているため、それらの間に形成される一次放電用の斜平行ギャップの面積の広がりを、一対のライン電極の放電部のそれぞれがほぼ円柱状をしていると共に、その形状に合わせて、アース電極の貫通孔の上部と下部の内側面のそれぞれが、ほぼ円筒状をしている三極放電管に比べて、大きく広げることができる。そして、その面積の広がりの大きな斜平行ギャップに、一次放電を長期に亙って繰り返し安定させて発生させ続けることができる。
【００１２】
また、ライン電極の放電部がほぼ円錐状をしているため、ほぼ円柱状をしたライン電極の放電部に比べて、そのほぼ円錐状をしたライン電極の電極部をコイニング加工により容易かつ的確に形成できる。特に、直径が６ｍｍ以下のほぼ円錐状をした小型のライン電極の放電部をコイニング加工により形成した場合には、その効果が顕著である。
【００１３】
本発明の三極放電管においては、前記ほぼ円錐状に形成されたライン電極の放電部の表面及び前記ほぼ漏斗状に形成された貫通孔の上部と下部の内側面のそれぞれに放電活性物質が塗布された構造とすることを好適としている。
【００１４】
この三極放電管にあっては、そのほぼ円錐状に形成されたライン電極の放電部の表面及びそのほぼ漏斗状に形成された貫通孔の内側面に塗布された放電活性物質により、そのほぼ円錐状に形成されたライン電極の放電部とそれに対向するほぼ漏斗状に形成されたアース電極の貫通孔の内側面との間の斜平行ギャップに、一次放電を円滑かつ的確に発生させることができる。
【００１５】
また、そのほぼ円錐状をしたライン電極の放電部とほぼ漏斗状に形成されたアース電極の貫通孔の内側面との間の斜平行ギャップに一次放電を発生させた場合に、そのほぼ円錐状をしたライン電極の放電部の表面に塗布された放電活性物質やほぼ漏斗状をしたアース電極の貫通孔の内側面に塗布された放電活性物質が、放電エネルギーを受けて、スパッタとなって、ライン電極とアース電極との間に配置された筒状の外囲器の内側面に付着するのが、貫通孔周囲のアース電極やライン電極の放電部に妨げられて、防止される。そして、そのスパッタより、ライン電極とアース電極との間の絶縁性が劣化したり、ライン電極とアース電極との間に絶縁不良が生じたりするのが、防止される。
【００１６】
また、そのほぼ円錐状に形成されたライン電極の放電部の表面やそのほぼ漏斗状に形成されたアース電極の貫通孔の内側面に塗布された放電活性物質が、放電のエネルギーを受けて、スパッタとなって、そのほぼ円錐状をしたライン電極の放電部に対向するほぼ漏斗状をしたアース電極の貫通孔の内側面に付着したり、そのほぼ漏斗状をしたアース電極の貫通孔の内側面に対向するほぼ円錐状をしたライン電極の放電部の表面に付着したりする。そして、そのほぼ円錐状をしたライン電極の放電部の表面に塗布された放電活性物質やそのほぼ漏斗状をしたアース電極の貫通孔の内側面に塗布された放電活性物質がスパッタとなって飛散して消失するのが、ほぼ漏斗状をしたアース電極の貫通孔の内側面に塗布された放電物質がほぼ円錐状をしたライン電極の放電部の表面にスパッタとなって付着する放電活性物質と、ほぼ円錐状をしたライン電極の放電部の表面に塗布された放電活性物質がほぼ漏斗状をしたアース電極の貫通孔の内側面にスパッタとなって付着する放電活性物質とにより、互いに補充し続けられる。
そのために、そのほぼ円錐状をしたライン電極の放電部とそれに対向するほぼ漏斗状をしたアース電極の貫通孔の内側面との間に一次放電を繰り返し長期に亙って発生させた場合にも、そのほぼ円錐状をしたライン電極の放電部の表面やほぼ漏斗状をしたアース電極の貫通孔の内側面に塗布された放電活性物質が、スパッタとなってその周囲に飛散して消失するのを、防ぐことができる。そして、そのほぼ円錐状をしたライン電極の放電部の表面やほぼ漏斗状をしたアース電極の貫通孔の内側面に残存し続ける放電活性物質により、ほぼ円錐状をしたライン電極の放電部とそれに対向するほぼ漏斗状をしたアース電極の貫通孔の内側面との間の斜平行ギャップに、一次放電を繰り返し長期に亙って安定させて発生させ続けることができる。
【００１７】
また、ライン電極の放電部が、ほぼ円錐状をしているため、ライン電極の放電部が円柱状をしている三極放電管に比べて、そのライン電極の放電部の表面に流動性の高い液状等をした放電活性物質を塗布した場合に、その放電活性物質が重力を受けてライン電極の電極部の表面をその下方に流れ落ちるのを防いで、その放電活性物質を、ライン電極の放電部の表面にほぼ均等に的確に塗布できる。
【００１８】
また、本発明の三極放電管においては、前記ほぼ円錐状に形成されたライン電極の放電部とそれに続くライン電極の周縁部との境界部に、前記ライン電極の放電部の表面に塗布される放電活性物質を溜める溜まり部がリング状に設けられた構造とすることを好適としている。
【００１９】
この三極放電管にあっては、ほぼ円錐状に形成されたライン電極の放電部の表面に液状等をした放電活性物質を塗布した際に、そのほぼ円錐状をしたライン電極の放電部の表面からそれに連なるライン電極の周縁部の表面に流れ出そうとする放電活性物質を、ほぼ円錐状に形成されたライン電極の放電部とそれに続くライン電極の周縁部との境界部に設けられた溜まり部に流入させて溜めることができる。そして、その放電活性物質が、表面張力作用を受けて、ほぼ円錐状に形成されたライン電極の放電部の表面に連なるライン電極の周縁部の表面に広く回り込んで付着するのを、防ぐことができる。そして、そのライン電極の周縁部の表面に付着した放電活性物質の影響を受けて、ライン電極の周縁部とそれに対向するアース電極の周縁部との間に一次放電が発生してしまうのを、防ぐことができる。そして、ほぼ円錐状に形成されたライン電極の放電部とほぼ漏斗状に形成されたアース電極の貫通孔の内側面との間の斜平行ギャップに一次放電を的確に発生させ得なくなるのを、防ぐことができる。
【００２０】
【発明の実施の形態】
図１と図２は本発明の三極放電管の好適な実施の形態を示し、図１はその構造説明図、図２はその一部拡大構造説明図である。以下に、この三極放電管を説明する。
【００２１】
図の三極放電管においては、一対のライン電極１０が、その内端に設けられた放電部１２を対向させて、所定のギャップをあけて、上下に並べて配置されている。一対のライン電極１０の対向する放電部１２の間には、貫通孔２８が中央部に設けられたアース電極２０が配置されている。ライン電極１０と、アース電極２０とは、Ｆｅ−Ｎｉ合金等の金属から形成されている。
【００２２】
一対のライン電極１０とアース電極２０との間には、一対の絶縁体からなる筒状の外囲器３０のそれぞれが、その内側にライン電極の放電部１２を嵌入させた状態で、配置されている。外囲器３０は、セラミック等の絶縁体から形成されている。
【００２３】
一対の外囲器３０の外端開口部のそれぞれは、一対のライン電極１０の外端のそれぞれに設けられた円板状の電極部１４により封じられている。そして、その外囲器３０とライン電極１０とアース電極２０とで囲まれた内側空間に、放電用のガスが気密に封入されている。
【００２４】
一対の外囲器３０の内端間には、アース電極の電極部２４が挟持されている。そして、そのアース電極の電極部２４の周囲が、外囲器３０の外側に露出している。
【００２５】
外囲器３０の外端と内端とには、メタライズ層３４がそれぞれ形成されていて、それらのメタライズ層３４を介して、外囲器３０の外端と内端とが、ライン電極の電極部１４とアース電極の電極部２４とにそれぞれ気密にろう付けされている。
【００２６】
外囲器３０の内側面には、カーボン等からなる放電誘発用のトリガ線３２が、外囲器３０の軸方向に線状に形成されていて、そのトリガ線３２が、上記のメタライズ層３４を介して、ライン電極の電極部１４又はアース電極の電極部２４に電気的に接続されている。
【００２７】
以上の構成は、既述の従来の三極放電管と同様であるが、図の三極放電管では、一対のライン電極内端の放電部１２のそれぞれが、ほぼ円錐状に形成されている。それと共に、そのライン電極の放電部１２の形状に合わせて、アース電極の貫通孔２８の上部と下部の内側面２６のそれぞれが、ほぼ漏斗状に形成されている。そして、そのほぼ漏斗状に形成された貫通孔の上部と下部の内側面２６の内側に、ほぼ円錐状に形成された一対のライン電極の放電部１２のそれぞれが遊嵌されている。そして、そのほぼ円錐状に形成されたライン電極の放電部１２とそれに対向するほぼ漏斗状に形成されたアース電極２０の貫通孔の内側面２６との間に、図２に示したような、一次放電用の斜平行ギャップｈがそれぞれ設けられている。
【００２８】
貫通孔２８周囲のアース電極の周縁部２２とそれに対向するライン電極の周縁部１６との間には、図２に示したような、二次放電用の平行ギャップＨがそれぞれ設けられている。
【００２９】
斜平行ギャップｈは、図２に示したように、平行ギャップＨよりも間隔狭く形成されている。
【００３０】
図１と図２に示した三極放電管は、以上のように構成されている。
この三極放電管においては、そのほぼ円錐状に形成されたライン電極の放電部１２とほぼ漏斗状に形成されたアース電極の貫通孔の内側面２６との間の斜平行ギャップｈに、一次放電を発生させた場合に、そのほぼ円錐状に形成されたライン電極の放電部１２やそのほぼ漏斗状に形成されたアース電極の貫通孔の内側面２６から飛散する金属の粒子からなるスパッタが、貫通孔２８周囲のアース電極２０やライン電極の放電部１２に妨げられて、ライン電極１０とアース電極２０との間に配置されたトリガ線３２が形成された外囲器３０の内側面に付着するのが、防止される。そして、そのスパッタより、ライン電極１０とアース電極２０との間の絶縁性が劣化したり、ライン電極１０とアース電極２０との間に絶縁不良が生じたりするのが、防止される。
【００３１】
また、ほぼ円錐状をしたライン電極の放電部１２やほぼ漏斗状をしたアース電極の貫通孔の内側面２６から飛散するスパッタが、そのほぼ円錐状をしたライン電極の放電部１２に対向するほぼ漏斗状をしたアース電極の貫通孔の内側面２６に付着したり、そのほぼ漏斗状をしたアース電極の貫通孔の内側面２６に対向するほぼ円錐状をしたライン電極の放電部１２の表面に付着したりする。そして、そのほぼ円錐状をしたライン電極の放電部１２とそのほぼ漏斗状をしたアース電極の貫通孔の内側面２６とからスパッタとなって消失する金属が、ほぼ円錐状をしたライン電極の放電部１２とほぼ漏斗状をしたアース電極の貫通孔の内側面２６とに互いに補充し続けられる。
そのために、そのほぼ円錐状をしたライン電極の放電部１２とそれに対向するほぼ漏斗状をしたアース電極の貫通孔の内側面２６との間に一次放電を繰り返し長期に亙って発生させた場合にも、そのほぼ円錐状をしたライン電極の放電部１２を形成している金属がスパッタとなって消失したり、そのほぼ漏斗状をしたアース電極の貫通孔の内側面２６を形成している金属がスパッタとなって消失したりして、そのほぼ円錐状をしたライン電極の放電部１２とほぼ漏斗状をしたアース電極の貫通孔の内側面２６との間の斜平行ギャップｈの距離等に狂いが生ずるのを、防ぐことができる。そして、そのほぼ円錐状をしたライン電極の放電部１２とほぼ漏斗状をしたアース電極の貫通孔の内側面２６との間の斜平行ギャップｈに、所定電位の放電を繰り返し長期に亙って安定させて的確に発生させ続けることができる。
【００３２】
また、ライン電極の電極部１４とアース電極の電極部２４との間に大きなサージ電圧が加わった場合には、ほぼ円錐状をしたライン電極の放電部１２とほぼ漏斗状をしたアース電極の貫通孔の内側面２６との間の斜平行ギャップｈに一次放電を発生させると同時に、貫通孔２８周囲のアース電極の周縁部２２とそれに対向するライン電極の周縁部１６との間の間隔の広い平行ギャップＨにも、二次放電を発生させることができる。そして、その平行ギャップＨに発生させた二次放電により、上記の大きなサージ電圧を的確に消失させることができる。
【００３３】
また、斜平行ギャップｈが、平行ギャップＨよりも間隔狭く形成されているため、ライン電極の電極部１４とアース電極の電極部２４との間にさほど大きくないサージ電圧が加わった場合には、ほぼ円錐状をしたライン電極の放電部１２とほぼ漏斗状をしたアース電極の貫通孔の内側面２６との間の間隔狭く形成された斜平行ギャップｈに、一次放電を発生させて、上記のさほど大きくないサージ電圧を的確に消失させることができる。
その際には、貫通孔２８周囲のアース電極の周縁部２２とそれに対向するライン電極の周縁部１６との間の間隔の広い平行ギャップＨには、二次放電を発生させずに、そのアース電極の周縁部２２やライン電極の周縁部１６から金属の粒子がスパッタとなって飛散して、そのスパッタがその周囲の外囲器３０の内側面に付着するのを、防ぐことができる。そして、そのスパッタにより、ライン電極１０とアース電極２０との間の絶縁性が劣化したり、ライン電極１０とアース電極２０との間に絶縁不良が生じたりするのを、防ぐことができる。
【００３４】
また、一対のライン電極の放電部１２のそれぞれがほぼ円錐状をしていると共に、その形状に合わせて、アース電極の貫通孔２８の上部と下部の内側面２６のそれぞれが、ほぼ漏斗状をしているため、それらの間に形成される一次放電用の斜平行ギャップｈの面積の広がりを、大きく広げることができる。そして、その面積の広がりの大きな斜平行ギャップｈに、一次放電を長期に亙って繰り返し安定させて発生させ続けることができる。
【００３５】
また、ライン電極の放電部１２がほぼ円錐状をしているため、そのほぼ円錐状をしたライン電極の電極部１２をコイニング加工により容易かつ的確に形成できる。
【００３６】
図１と図２に示した三極放電管においては、図３に示したように、ほぼ円錐状に形成されたライン電極の放電部１２の表面及びほぼ漏斗状に形成されたアース電極の貫通孔２８の上部と下部の内側面２６のそれぞれに、チタン酸バリウム（ＢａＴｉＯ３）等の放電活性物質５０を塗布すると良い。
【００３７】
その場合には、そのほぼ円錐状をしたライン電極の放電部１２の表面やほぼ漏斗状をしたアース電極の貫通孔の内側面２６に塗布された放電活性物質５０により、ほぼ円錐状をしたライン電極の放電部１２とそれに対向するほぼ漏斗状をしたアース電極の貫通孔の内側面２６との間の斜平行ギャップｈに、一次放電を円滑かつ的確に発生させることができる。
【００３８】
また、そのほぼ円錐状をしたライン電極の放電部１２とほぼ漏斗状をしたアース電極の貫通孔の内側面２６との間の斜平行ギャップｈに一次放電を発生させた場合に、そのほぼ円錐状をしたライン電極の放電部１２の表面に塗布された放電活性物質５０やほぼ漏斗状をしたアース電極の貫通孔の内側面２６に塗布された放電活性物質５０が、放電エネルギーを受けて、スパッタとなって、ライン電極１０とアース電極２０との間に配置された筒状の外囲器３０の内側面に付着するのが、貫通孔２８周囲のアース電極２０やライン電極の放電部１２に妨げられて、防止される。そして、そのスパッタより、ライン電極１０とアース電極２０との間の絶縁性が劣化したり、ライン電極１０とアース電極２０との間に絶縁不良が生じたりするのが、防止される。
【００３９】
また、その斜平行ギャップｈに一次放電を発生させた場合に、ほぼ円錐状をしたライン電極の放電部１２の表面やほぼ漏斗状をしたアース電極の貫通孔の内側面２６に塗布された放電活性物質５０が、放電のエネルギーを受けて、スパッタとなって、ほぼ円錐状をしたライン電極の放電部１２に対向するほぼ漏斗状をしたアース電極の貫通孔の内側面２６に付着したり、ほぼ漏斗状をしたアース電極の貫通孔の内側面２６に対向するほぼ円錐状をしたライン電極の放電部１２の表面に付着したりする。そして、そのほぼ円錐状をしたライン電極の放電部１２の表面に塗布された放電活性物質５０やほぼ漏斗状をしたアース電極の貫通孔の内側面２６に塗布された放電活性物質５０がスパッタとなって飛散して消失するのが、ほぼ漏斗状をしたアース電極の貫通孔の内側面２６に塗布された放電物質５０がそれに対向するほぼ円錐状をしたライン電極の放電部１２の表面にスパッタとなって付着する放電活性物質５０と、ほぼ円錐状をしたライン電極の放電部１２の表面に塗布された放電活性物質５０がそれに対向するほぼ漏斗状をしたアース電極の貫通孔の内側面２６にスパッタとなって付着する放電活性物質５０とにより、互いに補充し続けられる。
そのために、そのほぼ円錐状をしたライン電極の放電部１２とそれに対向するほぼ漏斗状をしたアース電極の貫通孔の内側面２６との間に一次放電を繰り返し長期に亙って発生させた場合にも、そのほぼ円錐状をしたライン電極の放電部１２の表面やほぼ漏斗状をしたアース電極の貫通孔の内側面２６に塗布された放電活性物質５０が、スパッタとなってその周囲に飛散して消失するのを、防ぐことができる。そして、そのほぼ円錐状をしたライン電極の放電部１２の表面やほぼ漏斗状をしたアース電極の貫通孔の内側面２６に残存し続ける放電活性物質５０により、ほぼ円錐状をしたライン電極の放電部１２とそれに対向するほぼ漏斗状をしたアース電極の貫通孔の内側面２６との間の斜平行ギャップｈに、一次放電を繰り返し長期に亙って安定させて発生させ続けることができる。
【００４０】
また、ライン電極の放電部１２が、ほぼ円錐状をしているため、そのライン電極の放電部１２の表面に流動性の高い液状等をした放電活性物質５０を塗布した場合に、その放電活性物質５０が重力を受けてライン電極の放電部１２の表面をその下方に流れ落ちるのを防いで、その放電活性物質５０を、ライン電極の放電部１２の表面にほぼ均等に的確に塗布できる。
【００４１】
また、図１と図２に示した三極放電管においては、同じ図３に示したように、ほぼ円錐状に形成されたライン電極の放電部１２とそれに続くライン電極の周縁部１６との境界部に、ほぼ円錐状に形成されたライン電極の放電部１２の表面に塗布される放電活性物質５０を溜める溜まり部４０をリング状に設けると良い。
【００４２】
その場合には、ほぼ円錐状をしたライン電極の放電部１２の表面に液状等をした放電活性物質５０を塗布した際に、そのほぼ円錐状をしたライン電極の放電部１２の表面からそれに連なるライン電極の周縁部１６の表面に流れ出そうとする放電活性物質５０を、ほぼ円錐状をしたライン電極の放電部１２とそれに続くライン電極の周縁部１６との境界部に設けられた溜まり部４０に流入させて溜めることができる。そして、その放電活性物質５０が、表面張力作用を受けて、ほぼ円錐状をしたライン電極の放電部１２の表面に連なるライン電極の周縁部１６の表面に広く回り込んで付着するのを、防ぐことができる。そして、そのライン電極の周縁部１６の表面に付着した放電活性物質５０の影響を受けて、ライン電極の周縁部１６とそれに対向するアース電極の周縁部２２との間に一次放電が発生してしまうのを、防ぐことができる。そして、ほぼ円錐状をしたライン電極の放電部１２とほぼ漏斗状をしたアース電極の貫通孔の内側面２６との間の斜平行ギャップｈに一次放電を的確に発生させ得なくなるのを、防ぐことができる。
【００４３】
【発明の効果】
以上説明したように、本発明の三極放電管によれば、その斜平行ギャップに一次放電を発生させた場合に、そのライン電極やアース電極の放電部を構成しているＦｅ−Ｎｉ合金等の金属がスパッタとなって、トリガ線等が形成された外囲器の内側面に付着するのを、防ぐことができる。そして、ライン電極とアース電極との間の絶縁性が劣化したり、ライン電極とアース電極との間に絶縁不良が生じたりするのを、防ぐことができる。そして、そのライン電極の放電部とアース電極の貫通孔の内側面との間に、一次放電を繰り返し長期に亙って安定させて発生させ続けることができる。
【００４４】
また、ライン電極とアース電極との間に大きなサージ電圧が加わった場合には、アース電極の周縁部とそれに対向するライン電極の周縁部との間の平行ギャップに、二次放電を発生させることができる。そして、その平行ギャップに発生させた二次放電により、上記の大きなサージ電圧を的確に消失させることができる。
【図面の簡単な説明】
【図１】本発明の三極放電管の構造説明図である。
【図２】本発明の三極放電管の一部拡大構造説明図である。
【図３】本発明の三極放電管の構造説明図である。
【図４】従来の三極放電管の構造説明図である。
【符号の説明】
１０  ライン電極
１２  ライン電極の放電部
１４  ライン電極の電極部
１６  ライン電極の周縁部
２０  アース電極
２２  アース電極の周縁部
２４  アース電極の電極部
２６  ほぼ漏斗状に形成されたアース電極の貫通孔の内側面
３０  外囲器
３２  トリガ線
３４  メタライズ層
４０  溜まり部
５０  放電活性物質
ｈ  斜平行ギャップ
Ｈ  平行ギャップ
【図１】
0004319750.tif 000002
【図２】
0004319750.tif 000003
【図３】
0004319750.tif 000004
【図４】
0004319750.tif 000005